(57)【特許請求の範囲】
【請求項１】
上端に開口部を有する容器本体と、
全体として筒状をなし、前記容器本体の開口部に着脱可能に密接される嵌合部および該嵌合部の上部に連続し、上方に延びて上部を斜めカットし、斜め開口部を形成した斜めカット筒部からなる振り出し口部材と、
前記斜め開口部を塞ぐように着脱可能に設けられた振り出し部材とを備え、
前記振り出し部材は、
前記斜め開口部に嵌合するリング部材と、
前記リング部材の内周面に張設され、前記容器本体に収容された粉体を外部へ振り出すことが可能な振り出し面と、
前記リング部材の一部に円周方向の所定領域に亘って設けられた突子とを備え、
前記振り出し口部材は、
前記斜めカット筒部上端の内周に形成され、前記突子が設けられた部位以外の前記リング部材の外周縁が嵌め込まれるリング溝と、
前記斜めカット筒部の上方向および内周方向に開放するよう形成され、前記突子が設けられた部位の前記リング部材の外周縁が嵌め込まれる切欠と
を具備することを特徴とする振り出し容器。
【請求項２】
前記容器本体が、透明のガラス容器であることを特徴とする請求項１に記載の振り出し容器。
【請求項３】
前記嵌合部が、前記容器本体の開口部の外周または内周に嵌合されていることを特徴とする請求項１または２に記載の振り出し容器。
【請求項４】
前記嵌合部が、前記容器本体の開口部に螺合によりまたは挿入嵌合によりパッキンを介在して密嵌されていることを特徴とする請求項１〜３のいずれか１に記載の振り出し容器。
【請求項５】
前記振り出し口部材が、弾性部材により形成されていることを特徴とする請求項１〜４のいずれか１に記載の振り出し容器。
【請求項６】
前記振り出し部材の振り出し面がメッシュ状または孔状であることを特徴とする請求項１〜５のいずれか１に記載の振り出し容器。
【発明の詳細な説明】
【技術分野】
【０００１】
本発明は、内部に収納した粉状物や粒状物（以下、粉体と称することもある。）を、メッシュ部材や孔部材を通して容器外に振り出すための振り出し容器に関するものである。
【背景技術】
【０００２】
従来から、小麦粉や抹茶などの粉状物（粉末）や食塩、粗引き胡椒、調味料など粒状物を収納した容器の口頚部外周に装着され、その容器を手で振ることによって、振り出し孔から前記粉状物や粒状物を容器外へ振り出すことができる振り出しキャップが、種々提案されている。この振り出しキャップは、前記振り出し孔を多数有し、これらの振り出し孔を被うように、この振り出しキャップに蓋部材が着脱自在に装着されている。
【０００３】
ところで、かかる振り出しキャップによれば、容器を手で持って粉状物や粒状物を容器外に振り出す場合に、これらを目標位置に対して命中させることができず、大抵その目標位置から外れた位置付近に分散または散乱してしまう。その理由は、振り出し孔が大きめの一定サイズであるためであり、この場合には定量の振り出しも行えないという不都合があった。
【０００４】
これに対し、装着部頂壁の中央部に正六角形状の窓孔を穿設して、該窓孔上部に第１振出孔を穿設した一対の傾斜頂壁および第２振出孔を穿設した一対の垂壁を有する可変振出部を設けるとともに、該振出部を反転させる左右一対の反転壁を設け、各反転壁の反転により、第１振出孔あるいは第２振出孔からの振り出しを可能に振出部を反転させる振り出しキャップが提案されている（例えば、特許文献１参照）。
【０００５】
この振り出しキャップでは、指掛け突起を操作することで選んだ、サイズ、個数、形状が異なる振り出し孔の何れかから内容物を振り出し可能にし、その振り出しを略目標位置対し行えるようにしている。
【先行技術文献】
【特許文献】
【０００６】
【特許文献１】実開平６‐８７２５１号公報
【発明の概要】
【発明が解決しようとする課題】
【０００７】
しかしながら、かかる従来の振り出しキャップにあっては、振り出し部の構造が傾斜頂壁や垂壁を備え複雑であるために内部の洗浄が困難である。また、第１振出孔を穿設した一対の傾斜頂壁は互いに外に開くように傾斜し、第２振出孔を穿設した一対の垂壁は互いに外に閉じるように傾斜しているため、それぞれの振り出し孔から振り出される粉状物や粒状物などの内容物を目標位置に命中させることは難しい。特に、第２の振出孔をセットしたときには、前部および後部閉塞板が、第２の振出孔の目視を妨げる状態となる。また、２種類の振り出し孔を設けたことによるメリットは乏しい。
【０００８】
本発明は上述した事情に鑑みてなされたものであり、その目的は、粉体を必要とする量分、目標位置に向かって略正確に振り出すことができるとともに、さらに洗浄を簡単に行える振り出し容器を提供することにある。
【課題を解決するための手段】
【０００９】
前述した目的を達成するために、本発明に係る振り出し容器は、上端に開口部を有する容器本体と、全体として筒状をなし、前記容器本体の開口部に着脱可能に密接される嵌合部および該嵌合部の上部に連続し、上方に延びて上部を斜めカットし、斜め開口部を形成した斜めカット筒部からなる振り出し口部材と、前記斜め開口部を塞ぐように着脱可能に設けられた振り出し部材とを備え、前記振り出し部材は、前記斜め開口部に嵌合するリング部材と、前記リング部材の内周面に張設され、前記容器本体に収容された粉体を外部へ振り出すことが可能な振り出し面と、前記リング部材の一部に円周方向の所定領域に亘って設けられた突子とを備え、前記振り出し口部材は、前記斜めカット筒部上端の内周に形成され、前記突子が設けられた部位以外の前記リング部材の外周縁が嵌め込まれるリング溝と、前記斜めカット筒部の上方向および内周方向に開放するよう形成され、前記突子が設けられた部位の前記リング部材の外周縁が嵌め込まれる切欠とを備えたことを特徴とする。
【００１０】
この構成により、振り出し口部の嵌合部は容器本体に密接することで、この容器本体に対し、容易に脱抜することなく安定保持され、透明容器の開口部上縁に密接するフランジ部とともに、内容物である粉体が容器本体の外へ漏れ出ることを確実に防止できる。振り出し口部材に斜めカット筒部を形成したことにより、内容物を振り出す際に振り出し面を目視できるため、目標位置に必要量を振り出すことが可能となる。
【００１１】
また、振り出し口部材は、振り出し部材を装着する斜めカット筒部と嵌合部とを一体化した構成であるため、嵌合部単独の紛失はない。さらに容器本体や振り出し口部材が汚れたり、振り出し部材が目詰まりしたりする場合にも、これらの洗浄を簡単に実施することができる。
【００１２】
また、本発明に係る振り出し容器は、前記容器本体が透明のガラス容器であることを特徴とする。この構成により、このガラス容器内の粉体の量や形態を外部から看取できるため、振り出し操作時に振り出し口部からメッシュ部に向かって流れる粉体の量や形態の看取が可能になり、斜め開口部における粉体の看取が可能であることと相俟って、粉体の振り出し量や振り出し方向を観測でき、従って、適量の粉体を目標位置に命中させることができる。
【００１３】
また、本発明に係る振り出し容器は、前記嵌合部が、前記容器本体の開口部の外周または内周に嵌合されていることを特徴とする。これにより前記開口部からの粉体の漏れを簡単に防止できる。
【００１４】
また、本発明に係る振り出し容器は、前記嵌合部が、前記容器本体の開口部に螺合によりまたは挿入嵌合によりパッキンを介在して密嵌されていることを特徴とする。これにより前記開口部からの粉体の漏れを略完全に防止できる。
【００１５】
また、本発明に係る振り出し容器は、前記振り出し部材が、弾性部材により形成されていることを特徴とする。これにより振り出し部材の振り出し口部材に対する装着を容易化できる。
【００１６】
また、本発明に係る振り出し容器は、前記振り出し口部材の斜め開口部を塞ぐ振り出し面がメッシュ状または孔状であることを特徴とする。これにより粉体をメッシュサイズや孔径に応じた量および速さで振り出すことができる。特に、振り出し面をメッシュ状としたメッシュ部材とすると、そのメッシュ部材の内側に仕切られている粉体を上方から容易に看取可能にする。したがって、その振り出し面からの粉体の振り出し量や振り出し方向を見定めやすく、目標位置に命中するように最適量の粉状物や粒状物を振り出すことができる。
【００１７】
また、本発明に係る振り出し容器は、リング部材１１の一部には円周方向の所定領域に亘って突子が設けられ、この突子が設けられる部位以外では、前記リング部材の外周縁は、斜めカット筒部上端の内周に形成されたリング溝内に嵌め込まれ、前記突子が設けられた部位では、リング部材の外周縁が斜めカット部の上方向および内周方向に開放する切欠に嵌め込まれていることを特徴とする。
これにより前記突子を、メッシュ部材の開閉操作用および斜めカット筒部に対するメッシュ部材の位置決め用の目印として利用することができる。
【発明の効果】
【００１８】
本発明によれば、粉体が振り出される振り出し口部材の斜め開口部を目視しながら、容器本体の振り出し操作が行えるので、振り出し部材から粉体を必要とする量分、目標位置に向かって正確にかつスムースに振り出すことができる。また、斜め開口部に振り出し部材を着脱可能とした簡単な構造としたので、容器本体や振り出し口部材の洗浄を簡単に行うことができる。
【００１９】
以上、本発明について簡潔に説明した。更に、以下に説明される発明を実施するための最良の形態を、添付の図面を参照して詳細に説明する。
【図面の簡単な説明】
【００２０】
【図１】本発明の実施形態による振り出し容器を示す正面図である。
【図２】本発明の実施形態による振り出し容器を示す側面図である。
【図３】本発明の実施形態による振り出し容器を示す平面図である。
【図４】本発明の実施形態による振り出し容器を分解して示す正面図である。
【図５】図３のＡ‐Ａ線断面図である。
【図６】図３のＢ‐Ｂ線断面図である。
【図７】本発明の実施形態による振り出し容器の使用例を示す説明図である。
【発明を実施するための形態】
【００２１】
以下、本発明の実施の形態を説明する。本実施形態の振り出し容器は、上端に開口部を有する容器本体と、全体として筒状をなし、前記容器本体の開口部に着脱可能に密接される嵌合部および該嵌合部の上部に連続し、上方に延びて上部を斜めカットし、斜め開口部を形成した斜めカット筒部からなる振り出し口部材と、前記斜め開口部を塞ぐように着脱可能に設けられた振り出し部材と、を備えて構成される。ここで、容器本体は、合成樹脂製またはガラス製の容器であり、例えばホウケイ酸ガラスなどの耐熱性で透明のガラス容器が採用され、このガラス容器内に収納された内容物（粉体）は外から透視（看取）可能である。また、この容器本体は上方に向けて開口し、有底の円筒状や方形筒（角筒）状をなし、円筒状の場合には、キャップなどとの嵌合部は例えば螺合構造とすることもできる。また、そのサイズは、人が手で掴むことができる長さ（高さ）、幅または外径であり、テーブル上で倒れても容易に割れない厚み、強度を持つ。この容器本体１の内周面は円滑面であり、全周面に亘って同一径をなす。
【００２２】
振り出し口部材は、筒状をなし、シールパッキン部（嵌合部）と、フランジ部と、斜めカット筒部とを一体に有し、シリコーンゴム、エラストマー、天然ゴム、ポリエチレン、ＥＶＡのいずれかから選ばれる材料によって一体成形されている。容器本体と振り出し口部材（嵌合部）とは、容器本体の開口部内面と振り出し口部材（嵌合部）とを密接するように嵌合する内嵌合構造や、容器本体の開口部外面と振り出し部材（嵌合部）とを密接するように嵌合する外嵌合構造や、容器本体の開口部内外面と振り出し口部材（嵌合部）を密接させるように嵌合する内外嵌合構造とすることができる。また、いずれの嵌合構造の場合でも、必要に応じて螺合も可能である。このように螺合により嵌合構造を形成する場合には、ポリプロピレン、ＡＢＳ、ＡＳ、ポリエチレン、ＥＶＡのいずれかから選ばれる材料によって振り出し口部材を成形することができる。
シールパッキン部は容器本体の開口部内周面に対し着脱自在に密接され、上下方向に複数個、例えば３個が所定間隔をおいて並設されている。これらのシールパッキン部の外径寸法および形状は共に等しく、振り出し口部材の他の部位に比べると弾力性および柔軟性に富んでいる。これらのシールパッキン部は外周縁部に向かって徐々に肉薄とされ、容器本体内周との密着性が良好に維持される。
【００２３】
フランジ部は、シールパッキン部の上部に設けられ、その外周縁はシールパッキン部の外径よりもさらに外方に突出している。このフランジの突出量は容器本体の上端開口縁上面に載置可能な寸法とされている。斜めカット筒部はフランジ部の上部に連設され、所定幅（高さ）の腰部と斜めカット部とからなる。腰部は全幅に亘って外径が略同一寸法であり、斜めカット部は外径寸法が上端に向かって徐々に径小に変化している。また、斜めカット筒は腰部に比べて肉薄で水平方向に撓み易くなっている。腰部の外周には等間隔の３箇所に、キャップの振り出し口部材に対する装着性を密にするために小突起が設けられている。斜めカット部の上部は、例えば３０度の傾きの縁面を持つ斜め開口部である。このフランジ部の形状としては、上記で説明したものだけでなく、振り出し口部材が容器本体の開口部と当接し、容器本体に対して振り出し口部材の位置決めをするための役割をするものを意味する。
【００２４】
振り出し部材は、強度、剛性、耐熱性の良好なポリプロピレンなどの樹脂からなる楕円形のリング部材と、このリング部材の内周面にポリエステルメッシュが張設されたメッシュ部材、またはポリエステルプレートに多数の小孔が施された孔部材が使用できる。孔部材を用いる場合には振り出し用の孔のほかこの孔よりも小さい空気抜き用孔が並設される。この空気抜き孔は振り出し用の孔がある位置とは異なる部位、例えば斜めカット筒部に設けることも可能である。
また、本発明に係る振り出し容器は、前記メッシュ部材が、ポリプロピレンのリング部材にポリエステルのメッシュを一体に張設したものであることを特徴とする。この構成により、メッシュ部材が合成樹脂の一体成形によって容易に得られるほか、粉体の振り出しをスムースかつ適量ずつ行うことができる。
なお、必要に応じてポリエステルメッシュに変えて金属メッシュとすることもできる。
【００２５】
この振り出し容器の実施例を、図面を参照しながら具体的に説明する。
図１〜図４は本実施形態にかかる振り出し容器Ａの外観図であり、この振り出し容器Ａは容器本体1と、振り出し口部材２と、メッシュ部材３（振り出し部材）と、を備えて構成される。これらのうち容器本体１は、合成樹脂製またはガラス製の容器であり、好ましくはホウケイ酸ガラスなどの耐熱性で透明のガラス容器が採用される。従って、このガラス容器内に収納された内容物（粉体）は外から透視（看取）可能である。また、この容器本体１は例えば有底円筒状や方形筒状をなし、人が手で掴むことができる長さ（高さ）と外形寸法を持つ。この容器本体１の内周面は円滑面であり、全周面に亘って同一径をなす。
【００２６】
振り出し口部材２は全体として筒状をなし、嵌合部としてのシールパッキン部４と、フランジ部５と、斜めカット筒部６とを一体に有する。この振り出し口部材２は耐熱性ゴムとしての、例えばシリコーンゴムによって一体成形されている。シリコーンゴムからなる振り出し口部材２において、シールパッキン部４は容器本体１の開口部内周面に対し着脱自在に密接され、図示のように上下方向に３個が所定間隔をおいて並設されている。これらのシールパッキン部４の外径寸法および形状は共に等しく、振り出し口部材２の他の部位に比べると弾力性および柔軟性に富んでいる。特に、これらのシールパッキン部４は外周縁部に向かって徐々に肉薄とされているため、容器本体１内周の前記円滑面に対する密着性がより良好となる。
【００２７】
また、フランジ部５はシールパッキン部４の上部に所定幅の頸部２ａをおいて設けられ、その外周縁はシールパッキン部４の外径よりもさらに外方に突出している。このフランジ部５の突出量は容器本体１の外径より僅か外方に及び、後述のように、容器本体１の上端開口縁１ａ上面に載置可能なサイズとされている。このフランジ部５は、シールパッキン部４一枚の厚みに比べて十分に（例えば、３〜４倍程度）に厚く、振り出し口部材２を前記上端開口縁１ａ上面において支える。
【００２８】
斜めカット筒部６はフランジ部５の上部に連設され、所定幅（高さ）の腰部７と斜めカット部８とからなる。これらのうち腰部７は全幅（全高さ）に亘って外径が略同一寸法であり、斜めカット部８は外径寸法が上端に向かって徐々に径小に変化し、腰部７に比べて径小である。また、腰部７は斜めカット部８の肉厚に比べて僅か厚めであり、この腰部７に比べて斜めカット部８は肉薄で水平方向に撓み易くなっている。さらに、腰部７の外周には円周方向における等間隔の３箇所に、小突起９が設けられている。これらの小突起９は、後述のキャップ１６の振り出し口部材２に対する装着性を密にするために設けられる。斜めカット筒部６を形成する斜めカット部８の上部は、図示のように、例えば３０度の傾きの縁面を持つ斜め開口部１０となっている。
【００２９】
前記メッシュ部材３は、強度、剛性、耐熱性の良好なポリプロピレンなどの樹脂からなる楕円形のリング部材１１と、このリング部材１１の内周面に張設された、振り出し部材としての楕円形のポリエステルメッシュ１２とからなる。このポリエステルメッシュ１２はリング部材１１の成形時に外周縁部を同時にインサート成形して得られる。なお、必要に応じて、ポリエステルメッシュ１２に代えて金属メッシュとすることもできる。
【００３０】
リング部材１１の一部には図３〜図５に示すように、円周方向の所定領域に亘って突子１３が設けられている。この突子１３はメッシュ部材３の開閉操作用および斜めカット筒部６に対するメッシュ部材３の位置決め用の目印として利用される。そして、突子１３が設けられる部位以外において、リング部材１１の外周縁は、斜めカット筒部６上端の内周に形成されたリング溝１４内に嵌め込まれ、突子１３が設けられた部位では、リング部材１１の外周縁が斜めカット部６の上方向および内周方向に開放する切欠１５内に嵌め込まれている。
【００３１】
ここで、ポリエステルメッシュ１２が張られたリング部材１１は所定の硬さ（抗張力）を有し、容易に変形や撓みを生じることがなく、斜めカット筒部６の斜め開口部１０を外方に押し開くようにして前記リング溝１４及び切欠１５内に嵌め込まれる。従って、メッシュ部材３は前記斜め開口部１０に弾性的に、しかも安定的に保持される。また、フランジ部５の上面に下縁が密接するように、キャップ１６が振り出し口部材２の上に被せられる。このキャップ１６は例えばアクリロニトリルスチレンのコポリマーなどの透明樹脂からなる。
【００３２】
かかる構成になる振り出し容器Ａは、図４に示すように、容器本体１の上端開口内に振り出し口部材２のシールパッキン部４を矢印Ｐ方向に圧入することによって、フランジ部５を容器本体１の上端開口縁１ａ上面に密着させる。また、この作業に前後して、斜めカット筒部６の斜めカット部８内にこれを外方へ押し広げるようにして、メッシュ部材３を矢印Ｑ方向に挿入し、リング溝１４及び切欠１５にメッシュ部材３を構成するリング部材１１を嵌合させる。この嵌合操作では、前記突子１３を斜めカット部８の外周付近に設けた目印（図示しない）に合致させて行う。これにより、斜めカット筒部６の内周に対して楕円形のメッシュ部材３が密嵌される。
【００３３】
また、容器本体1に前述のように装着された振り出し口部材２を被うように、キャップ１６が被せられる。このときキャップ１６の下縁はフランジ部５の上面に対し密接し、下端部内周は振り出し口部材２の腰部７外周に小突起９を介して密接する。これにより小突起９はその下端部内周に圧接し、キャップ１６の振り出し口部材２からの自由な脱落、脱抜が防止される。この振り出し容器Ａを使用する場合には、キャップ１６を振り出し口部材２から取り外した後、この振り出し口部材２を指で摘んで容器本体１の開口部上方に引き上げる。このとき、その引き上げ力によってシールパッキン部４は容器本体１の内周をゆっくり滑って上昇した後、容器本体１から安全に脱抜される。これにより容器本体１の開口部から粉体を収納することができる。また、この収納作業後にはシールパッキン部４を容器本体１内に挿し込んで再び図１〜図３の状態にする。
【００３４】
また、別の方法として、容器本体1の上部に被せてあるキャップ１６を外し、前記メッシュ部材３を構成するリング部材１１の突子１３を指で摘んで、切欠１５の上方へ引き上げ、さらにこの切欠１５およびリング溝１４内からリング部材１１を引き剥がす。これによりメッシュ部材３が振り出し口部材２から分離され、斜め開口部１０が開放状態になる。
【００３５】
これにより、メッシュ部材３が開かれた斜め開口部１０から容器本体１内に粉体を収納することができる。この粉体の収納後は、再びメッシュ部材３を斜め開口部１０内に挿入し、前記リング溝１４および切欠１５にメッシュ部材３を構成するリング部材１１を嵌合する。
【００３６】
このようにして、粉体を容器本体１内に収納した振り出し容器Ａは、これを使用するに当たって、図７に示すように、容器本体１を、メッシュ部材３が装着された振り出し口部材２のうち、フランジ部５より最も長く突出している突出部分Ｋを下に向けて略３０度の傾きにて手で支える。このとき容器本体１内の粉体は、これまで容器本体１内の底部に向かって堆積していた状態から、次第にメッシュ部材３に向かって崩れだし、前記最も突出した突出部分Ｋに向かって傾斜する山が形成され、さらにその突出部分Ｋに向かって流下する。そして容器本体１を手で支えながら軽く上下または左右に振ると、遂にはその突出部分Ｋに臨むメッシュ部材３を通して粉体が振り出される。
【００３７】
このとき、前記突出部分Ｋ以外の部位は、空気の取り込み口となり、粉体の流れをよりスムースにする。この粉体の振り出し状態は、使用者が容器本体１内の粉体を見ながら、さらにメッシュ部材３を通して前記突出部分Ｋに移動してきた粉体を見ながら行えるため、その振り出し方向と振り出し量とが略正確に調節することができる。つまり、所望量の粉体を目標位置に命中させることができる。
【００３８】
この場合において、粉状体の振り出しを満遍なくかつスムースに行うメッシュ部材３としてポリエステルメッシュを用いているが、必要に応じ金属メッシュを用いることもできる。また、容器本体１、振り出し口部材２、メッシュ部材３は、図４に示すようにそれぞれ個別の部品に分解可能に組み立てることができるので、これらが汚れたり、メッシュ部材３が目詰まりしたりした場合の洗浄や保守、修繕が極めて容易に実施できる利点が得られる。さらにシールパッキン部４はフランジ部５などと共に一体化されているため、シールパッキン部４のみの紛失がなくなる。
【００３９】
以上のように、本実施形態の振り出し容器Ａは、
上端に開口部を有する容器本体1と、全体として筒状をなし、前記容器本体１の開口部に着脱可能に密接される嵌合部４および該嵌合部４の上部に連続し、上方に延びて上部を斜めカットし、斜め開口部１０を形成した斜めカット筒部６からなる振り出し口部材２と、前記斜め開口部１０を塞ぐように着脱可能に設けられたメッシュ部材３と、を備えた構成である。
【００４０】
これにより、振り出し口部材２は、嵌合部４が容器本体１の内周に密接することで、この容器本体１に対し、容易に脱抜することなく、安定保持され、容器本体１の上端開口縁１ａに密接するフランジ部５とともに、内容物である粉体が容器本体１外へ漏れ出ることを確実に防止できる。また、メッシュ部材３は一つ一つの透孔が小さいので粉体物の振り出しには最適である。
【００４１】
さらに、振り出し口部材２の斜め開口部１０を塞ぐメッシュ部材３は、そのメッシュ部材３の内側に仕切られている粉体を上方から容易に看取可能にしているため、容器本体１内の粉体の量や形態を外から容易に看守可能であることと合わせて、粉体の振り出し量や振り出し方向を見定めやすく、目標位置に対し最適量の振り出しを行うことができる。
【００４２】
また、振り出し口部材２は、メッシュ部材３を装着する斜めカット筒部６と共に嵌合部４が一体であるため、嵌合部４を紛失するおそれがない。さらに振り出し容器Ａが汚れたり、メッシュ部材３のポリエステルメッシュが目詰まりしたりする場合にも、これらの洗浄を簡単に実施することができる。
【００４３】
なお、前記メッシュ部材３を、インサート成形によって合成樹脂製のリング部材１１に一体化された金属メッシュ１２とした場合には、この金属メッシュ１２を振り出し口部材２の斜め開口部１０に装着可能とすることで、ポリエステルメッシュ同様に粉体の振り出しをスムースかつ適量宛行うことができる。
【００４４】
さらに、前記容器本体１を透明のガラス容器としたことで、このガラス容器内の粉体の量や形態を外部から看取できるため、振り出し操作時に振り出し口部２からメッシュ部材３に向かって流れる粉体の量や流れの形態の看取と合わせて、粉体の量や方向を観測でき、従って、粉状体や粒状を目標に位置に最適量分振り出させることが可能になる。
【産業上の利用可能性】
【００４５】
本発明は粉体を必要とする量分、目標位置に向かって正確にかつスムースにメッシュ部を介して振り出すことができ、さらに洗浄を簡単に行うことができるという効果を有し、内部に収納した粉体を、メッシュ部材を通して容器本体外に振り出すための振り出し容器等に有用である。
【符号の説明】
【００４６】
Ａ  振り出し容器
１  容器本体
１ａ  上端開口縁
２  振り出し口部材
３  メッシュ部材（振り出し部材）
４  シールパッキン部（嵌合部）
５  フランジ部
６  斜めカット筒部
７  腰部
８  斜めカット部
９  小突起
１０  斜め開口部
１１  リング部材
１２  ポリエステルメッシュ
１３  突子
１４  リング溝
１５  切欠
１６  キャップ
【図１】
0005785396.tif 000002
【図２】
0005785396.tif 000003
【図３】
0005785396.tif 000004
【図４】
0005785396.tif 000005
【図５】
0005785396.tif 000006
【図６】
0005785396.tif 000007
【図７】
0005785396.tif 000008